【手続補正書】
【提出日】平成15年7月29日(2003.7.29)
【手続補正１】
【補正対象書類名】明細書
【補正対象項目名】特許請求の範囲
【補正方法】変更
【補正の内容】
【特許請求の範囲】
【請求項１】
複数の電源回路を駆動するための電源駆動装置であって、
電源回路の起動のタイミングを示すためのタイミング信号を生成するタイミング信号生成回路と、
所定の勾配で変化する電圧信号と当該電圧信号が所定の値に達したことを示す検知信号とを生成する第１の回路と、
上記タイミング信号と上記検知信号とを入力して複数の動作制御信号と上記電圧信号を初期値にリセットするためのリセット信号とを生成する動作制御回路と、
上記電源回路の出力電圧のフィードバック信号と上記電圧信号と上記動作制御信号とを入力し、上記動作制御信号に応答して上記フィードバック信号と上記電圧信号とに応じた初期動作モードのための第１の出力電圧制御信号又は上記フィードバック信号に応じた定常動作モードのための第２の出力電圧制御信号をそれぞれ生成する複数の制御信号生成回路と、
上記制御信号生成回路から出力される上記第１又は第２の出力電圧制御信号に基づいて上記電源回路をそれぞれ駆動する複数の駆動回路と、
を有する電源駆動装置。
【請求項２】
上記動作制御回路が上記タイミング信号と上記検知信号とに応答して上記複数の動作制御信号を順次に供給し、上記複数の電源回路の起動が順次になされる
請求項１に記載の電源駆動装置。
【請求項３】
上記タイミング信号生成回路が、電源電圧によって充電されるコンデンサを有し、上記コンデンサの充電電圧に応じて上記タイミング信号が生成され、
上記第１の回路が、電源電圧によって充電されるコンデンサと、上記コンデンサを上記リセット信号に応答して放電させる放電回路とを有し、上記コンデンサの充電電圧が上記電圧信号に対応する
請求項１又は２に記載の電源駆動装置。
【請求項４】
上記複数の電源回路の出力電圧が所定の範囲にあるかを監視する監視回路を有し、上記電源回路の出力電圧が所定の範囲にない場合に上記電源回路の駆動を停止する
請求項１、２又は３に記載の電源駆動装置。
【手続補正２】
【補正対象書類名】明細書
【補正対象項目名】０００６
【補正方法】変更
【補正の内容】
【０００６】
【課題を解決するための手段】
上記目的を達成するために、本発明の電源駆動装置は、複数の電源回路を駆動するための電源駆動装置であって、電源回路の起動のタイミングを示すためのタイミング信号を生成するタイミング信号生成回路と、所定の勾配で変化する電圧信号と当該電圧信号が所定の値に達したことを示す検知信号とを生成する第１の回路と、上記タイミング信号と上記検知信号とを入力して複数の動作制御信号と上記電圧信号を初期値にリセットするためのリセット信号とを生成する動作制御回路と、上記電源回路の出力電圧のフィードバック信号と上記電圧信号と上記動作制御信号とを入力し、上記動作制御信号に応答して上記フィードバック信号と上記電圧信号とに応じた初期動作モードのための第１の出力電圧制御信号又は上記フィードバック信号に応じた定常動作モードのための第２の出力電圧制御信号をそれぞれ生成する複数の制御信号生成回路と、上記制御信号生成回路から出力される上記第１又は第２の出力電圧制御信号に基づいて上記電源回路をそれぞれ駆動する複数の駆動回路とを有する。


【手続補正３】
【補正対象書類名】明細書
【補正対象項目名】０００７
【補正方法】変更
【補正の内容】
【０００７】
好適には、上記動作制御回路が上記タイミング信号と上記検知信号とに応答して上記複数の動作制御信号を順次に供給し、上記複数の電源回路の起動が順次になされる。
【手続補正４】
【補正対象書類名】明細書
【補正対象項目名】０００８
【補正方法】変更
【補正の内容】
【０００８】
また、好適には、上記タイミング信号生成回路が、電源電圧によって充電されるコンデンサを有し、上記コンデンサの充電電圧に応じて上記タイミング信号が生成され、上記第１の回路が、電源電圧によって充電されるコンデンサと、上記コンデンサを上記リセット信号に応答して放電させる放電回路とを有し、上記コンデンサの充電電圧が上記電圧信号に対応する。
更に、好適には、上記複数の電源回路の出力電圧が所定の範囲にあるかを監視する監視回路を有し、上記電源回路の出力電圧が所定の範囲にない場合に上記電源回路の駆動を停止する。
【手続補正５】
【補正対象書類名】明細書
【補正対象項目名】０００９
【補正方法】変更
【補正の内容】
【０００９】
本発明の電源駆動装置は、例えば、スイッチングレギュレータのスイッチングトランジスタ（電源）の駆動回路であって、複数（ｎ個）のスイッチングレギュレータを順次にソフトスタートさせ、それぞれ予め設定された電圧の電力を供給する。タイミング信号生成回路は、例えば、コンデンサを有する時定数回路が発生する電圧信号とｎ−１個の闘値電圧とを比較することにより、ｎ個のスイッチングトランジスタを順次に起動するためのタイミング信号を生成する。


【手続補正６】
【補正対象書類名】明細書
【補正対象項目名】００１０
【補正方法】変更
【補正の内容】
【００１０】
第１の回路は、例えば、コンデンサを用いた時定数回路を有し、タイミング信号が第ｋ（１≦ｋ≦ｎ）のスイッチングトランジスタの起動開始を示すたびに時定数回路のコンデンサを充電し、第ｋのスイッチングトランジスタのソフトスタート終了の時点でコンデンサを放電する。
【手続補正７】
【補正対象書類名】明細書
【補正対象項目名】００１１
【補正方法】変更
【補正の内容】
【００１１】
制御信号生成回路は、ソフトスタート時には、電源回路の出力電圧のフィードバック信号と所定の変化勾配を有する電圧信号とに応じた第１の出力電圧制御信号を生成して駆動回路に供給し、ソフトスタートが終了すると、フィードバック信号に応じた第２の出力電圧制御信号を生成して駆動回路に供給する。駆動回路は、第１又は第２の出力電圧制御信号に応じて、スイッチングトランジスタを駆動する。


【手続補正８】
【補正対象書類名】明細書
【補正対象項目名】００１５
【補正方法】変更
【補正の内容】
【００１５】
分圧回路１０
スイッチングレギュレータ１において、分圧回路１０（図１）は、例えば抵抗器を用いた分圧回路等から構成され、出力回路１２ａ〜１２ｃそれぞれの出力電圧を分圧し、フィードバック信号ＩＮ１〜ＩＮ３として駆動部２に対して出力する。なお、分圧回路１０に設定される分圧比が、出力回路１２ａ〜１２ｃの出力電圧ＶＯＵＴを規定する。


【手続補正９】
【補正対象書類名】明細書
【補正対象項目名】００１７
【補正方法】変更
【補正の内容】
【００１７】
電源電圧リセット回路４４
電源電圧リセット回路４４は、正電源Ｖccの電圧が正常な範囲内にない場合に制御信号ＥＮＡ３を不活性化（論理値０と）して駆動回路３４ａ〜３４ｃの出力を不許可とし、正電源Ｖccの電圧が正常な範囲内にある場合に制御信号ＥＮＡを活性化（論理値１と）して駆動回路３４ａ〜３４ｃの出力を許可する。また、電源電圧リセット回路４４は、制御信号ＥＮＡ３をシーケンス制御部３のＸＲＳＴ端子にリセット信号として供給する。


【手続補正１０】
【補正対象書類名】明細書
【補正対象項目名】００２５
【補正方法】変更
【補正の内容】
【００２５】
比較回路ＣＭＰ２４０は、抵抗器Ｒ２４０，Ｒ２４２から入力される閾値電圧ＶTHSCP と、オペアンプＯＰ２４０を介して入力されるコンデンサＣ２の充電電圧とを比較し、コンデンサＣ２の充電電圧が閾値電圧ＶTHSCP よりも高い場合には論理値１を、コンデンサＣ２の充電電圧が閾値電圧ＶTHSCP よりも低い場合には論理値０を、制御信号ＯＶＲＶＴとしてシーケンス制御部３に対して出力する。


【手続補正１１】
【補正対象書類名】明細書
【補正対象項目名】００３４
【補正方法】変更
【補正の内容】
【００３４】
エラー検出部２８
図６は、図２に示した駆動部２のエラー検出部２８の構成を示す図である。
図６に示すように、エラー検出部２８は、抵抗器Ｒ２８０，Ｒ２８２，Ｒ２８４，Ｒ２８６、比較回路ＣＭＰ２８０，ＣＭＰ２８２および論理和回路ＯＲ２８０から構成される。
エラー検出部２８は、これらの構成部分により、誤差アンプ部２６から入力される誤差信号ＶＤ１〜ＶＤ３が正常範囲内（閾値電圧ＶEH〜閾値電圧ＶEL）にあるか否かを検出し、誤差信号ＶＤ１〜ＶＤ３が正常範囲内にある場合にはエラー信号ＥＲＲを論理値０とし、誤差信号ＶＤ１〜ＶＤ３が正常範囲内にない場合にはエラー信号ＥＲＲを論理値１としてシーケンス制御部３に対して出力する。


【手続補正１２】
【補正対象書類名】明細書
【補正対象項目名】００３７
【補正方法】変更
【補正の内容】
【００３７】
比較回路ＣＭＰ２８２は、抵抗器Ｒ２８４と抵抗器Ｒ２８６との接続中点から入力される閾値電圧ＶELと、誤差アンプ部２６から入力される誤差信号ＶＤ１〜ＶＤ３とを比較し、誤差信号ＶＤ１〜ＶＤ３のいずれかが閾値電圧ＶELよりも低い場合に出力信号を論理値１とし、誤差信号ＶＤ１〜ＶＤ３の全てが閾値電圧ＶELよりも高い場合に出力信号を論理値０として論理和回路ＯＲ２８０に対して出力する。


【手続補正１３】
【補正対象書類名】明細書
【補正対象項目名】００５３
【補正方法】変更
【補正の内容】
【００５３】
出力回路１２ａ〜１２ｃ
図９は、図１に示した出力回路１２ａ〜１２ｃの構成を示す図である。
図９に示すように、出力回路１２ａ〜１２ｃは、それぞれスイッチングトランジスタＱ１２０、平滑コンデンサＣ１２０，Ｃ１２２、インダクタＬ１２０およびダイオードＤ１２０から構成され、同一構成のステップダウンコンバータとして動作する。
出力回路１２ａ〜１２ｃは、これらの構成部分により、電圧ＶＩＮの電力をスイッチングして電圧をステップダウンし、さらに整流および平滑化し、電圧ＶＯＵＴの電力を負荷（図示せず）に供給する。なお、本実施形態では出力回路１２ａ〜１２ｃをステップダウン方式を例に説明しているが、出力回路をステップアップ方式やインバーティング方式としてもよい。


【手続補正１４】
【補正対象書類名】明細書
【補正対象項目名】００６３
【補正方法】変更
【補正の内容】
【００６３】
シーケンス制御部３のディスチャージ制御回路３０６は、電圧信号ＶＳＣＰが閾値電圧ＶTHSCP に達してから、電圧信号ＶCTRLが閾値電圧ＶTHH に達するまでの間、制御信号ＤＩＳＣＨＧを論理値１としてＳＣＰ部２４のコンデンサＣ２を放電させ、電圧信号ＶＳＣＰを０Ｖとする。